【手続補正書】
【提出日】平成18年11月8日(2006.11.8)
【手続補正１】
【補正対象書類名】特許請求の範囲
【補正対象項目名】全文
【補正方法】変更
【補正の内容】
【特許請求の範囲】
【請求項１】
表面に液体を流すための装置であって、
流路と、
前記流路の一端に前記液体を供給する第１のポートであって、前記流路が前記表面から遠く離れているときに前記液体を保持する第１のポート圧力を加える第１のポートと、
前記流路の他端から前記液体を受け取り、第２のポート圧力を加える第２のポートとを含み、
前記流路が前記表面の近くに位置し前記装置中の前記液体が前記表面と接触することに応答して、前記第１および第２のポート圧力の差が、前記流路を介した前記第１のポートから前記第２のポートへの前記液体の流れを促進する向きとなるように構成され、
前記表面からの前記流路の引離しに応答して、前記第１および第２のポートの圧力が、前記液体が少なくとも前記第２のポートに向かって引っ張られるような圧力となるように構成された装置。
【請求項２】
前記第１のポートに隣接した前記流路中に延び、前記第１のポートから前記表面に向かって前記液体を導く突起を含む、請求項１に記載の装置。
【請求項３】
前記突起が弾性体である、請求項２に記載の装置。
【請求項４】
前記装置が前記表面の近くにあるときに前記表面に対して前記流路を密封する、前記流路の周囲を取り囲む周囲フランジを含む、請求項１に記載の装置。
【請求項５】
前記第１のポートと前記流路の間を連絡し、前記第１のポート圧力よりも少ない第１の開口圧力を前記第１のポート中の前記液体に加える第１の開口と、前記流路と前記第２のポートとの間を連絡し、前記第１のポート圧力よりも少ない第２の開口圧力を前記流路中の前記液体に加える第２の開口とを含む、請求項１に記載の装置。
【請求項６】
前記液体による湿潤性が相対的に低い側と、前記液体による湿潤性が相対的に高い側とを含み、前記流路が、湿潤性が相対的に低い側によって周囲を取り囲まれた湿潤性が相対的に高い側の上に位置する、請求項５に記載の装置。
【請求項７】
前記第１のポートおよび前記第２のポートを収容するボディと、前記ボディから突き出して前記流路を形成する延長部分とを含み、前記第１の開口と前記第２の開口が、前記延長部分の反対側の端部に配置されている、請求項５に記載の装置。
【請求項８】
前記流路の周囲を取り囲む前記延長部分の側の前記液体に対する湿潤性が、前記流路の湿潤性よりも低い、請求項７に記載の装置。
【請求項９】
前記第１のポートが、前記第１のポート圧力を加えるための第１の毛管網を含む、請求項１に記載の装置。
【請求項１０】
前記第１の毛管網が、複数の平行毛管部材、メッシュ、多孔質材料および繊維状材料のうちの少なくとも１つを含む、請求項９に記載の装置。
【請求項１１】
前記第２のポートが、前記第２のポート圧力を加えるための第２の毛管網を含む、請求項１に記載の装置。
【請求項１２】
前記第２の毛管網が、複数の平行毛管部材、メッシュ、多孔質材料および繊維状材料のうちの少なくとも１つを含む、請求項１１に記載の装置。
【請求項１３】
それぞれが前記流路に結合された複数の第１のポートを含む、請求項１に記載の装置。
【請求項１４】
それぞれが前記流路に結合された複数の第２のポートを含む、請求項１に記載の装置。
【請求項１５】
前記流路が曲線状の断面を有する、請求項１に記載の装置。
【請求項１６】
前記流路が長方形の断面を有する、請求項１に記載の装置。
【請求項１７】
前記装置が、エラストマー、シリコン、ＳＵ−８、フォトレジスト、熱可塑性樹脂、セラミックおよび金属のうちの任意の１つから形成された、請求項１に記載の装置。
【請求項１８】
前記装置が積層構造である、請求項１に記載の装置。
【請求項１９】
前記装置のそれぞれの層が、エラストマー、シリコン、ＳＵ−８、フォトレジスト、熱可塑性樹脂、金属およびセラミックのうちの１つから形成された、請求項１８に記載の装置。
【請求項２０】
前記流路の長さが約１００マイクロメートル、幅が約１００マイクロメートルであり、第１および第２のポートの容積がそれぞれ５００ナノリットルであり、使用中、前記突起が、前記装置と前記表面との間の１から１０マイクロメートルの範囲の間隔を画定する、請求項２に記載の装置。
【請求項２１】
前記第１および第２のポート圧力が、前記表面からの前記流路の引離しに応答して前記液体が前記第１のポートおよび前記第２のポートに向かって引っ張られる圧力である、請求項１に記載の装置。
【請求項２２】
表面に液体を流すための方法であって、
アプリケータ装置の第１のポートから前記装置の流路の一端に前記液体を供給するステップと、
前記第１のポートを介して前記液体に第１のポート圧力を加えるステップと、
前記流路の他端から前記装置の第２のポート中に前記液体を受け取るステップと、
前記第２のポートを介して前記液体に、前記第１のポート圧力とは異なる第２のポート圧力を加えるステップと、
前記流路が前記表面の近くに位置しその中の前記液体が前記表面と接触することに応答し、前記第１および第２のポート圧力の差によって、前記第１のポートから前記第２のポートへ前記流路を介しての前記液体の流れを促進するステップと、
前記第１および第２のポート圧力によって、前記表面からの前記流路の引離しに応答して前記液体を少なくとも前記第２のポートに向かって引っ張るステップとを含む方法。
【請求項２３】
前記表面から前記流路を引き離した後で、前記表面上の別の位置に前記装置を再配置するステップをさらに含む、請求項２２に記載の方法。
【請求項２４】
前記表面から前記流路を引き離した後で、別の表面に前記装置を再配置するステップをさらに含む、請求項２２に記載の方法。
【請求項２５】
前記表面を前記装置と接触させ、その後に前記装置を前記表面から離隔させて、前記第１のポートから前記第２のポートへ前記液体を流すための表面チャネルを前記表面と前記流路との間に画定するステップをさらに含む、請求項２２に記載の方法。
【請求項２６】
前記第１のポートから前記第２のポートへの前記液体の前記流れを開始させるために、湿気の多い環境の中に前記装置を置くステップを含む、請求項２２に記載の方法。
【請求項２７】
凝縮によって前記液体の前記流れを開始させるために、前記装置および前記表面の一方または両方を冷却するステップを含む、請求項２６に記載の方法。
【請求項２８】
前記第１のポートから前記第２のポートへの前記液体の前記流れを開始させるために、前記装置と前記表面との間に電場を印加するステップを含む、請求項２２に記載の方法。
【請求項２９】
前記第１のポートから前記第２のポートへの前記液体の前記流れを開始させるために、前記液体に圧力パルスを加えるステップを含む、請求項２２に記載の方法。
【請求項３０】
前記液体の蒸発によって前記第１のポートから前記第２のポートへの前記液体の前記流れを開始させるために、前記液体に熱パルスを加えるステップを含む、請求項２２に記載の方法。
【請求項３１】
前記第１のポートと前記第２のポートとの間の圧力差を逆にすることによって前記液体の流れの方向を逆にするステップを含む、請求項２２に記載の方法。
【請求項３２】
前記第１および第２のポート圧力によって、前記表面からの前記流路の引離しに応答して前記液体を前記第１および第２のポートに向かって引っ張るステップを含む、請求項２２に記載の方法。